(57)【要約】      （修正有）【課題】手旗、横断幕、鉢巻として使える３種類兼用の応援用具を提供する。【解決手段】鉢巻図柄表示部ＨＡとＨＢ、手旗図柄表示部ＴＡとＴＢ、余白部ＷＡとＷＢからなる巾Ｂ×長さＬの応援用具において、巾Ｂ１×長さＬ１の図柄表示部ＨＡとＨＢが合同であって、下式（１）を満足し、かつ、巾Ｂ２×長さＬ２の図柄表示部ＴＡとＴＢが合同であり、下式（２）を満足する。  Ｂ１＜Ｂ／４、かつ、Ｌ１＝Ｌ……（１）式  Ｂ２＝Ｂ−２Ｂ１、かつ、Ｌ２＜Ｌ／２……（２）式【選択図】図１
0003199245.tif 000002
【実用新案登録請求の範囲】
【請求項１】
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡと巾Ｂ×長さＬ１の図柄表示部ＨＢが合同であって、下式（１）を満足し、かつ、巾Ｂ２×長さＬ２の図柄表示部ＴＡと巾Ｂ２×長さＬ２の手旗図柄表示部ＴＢが合同であり、下式（２）を満足することを特徴とする巾Ｂ×長さＬの応援用具。
Ｂ１＜Ｂ／４、かつ、Ｌ１＝Ｌ……（１）式
Ｂ２＝Ｂ−２Ｂ１、かつ、Ｌ２＜Ｌ／２……（２）式
【請求項２】
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡＢ、下式（３）を満足し、かつ、巾Ｂ２×長さＬ２の図柄表示部ＴＡと巾Ｂ２×長さＬ２の手旗図柄表示部ＴＢが合同であり、下式（４）を満足することを特徴とする巾Ｂ×長さＬの応援用具。
Ｂ１＜Ｂ／２、かつ、Ｌ１＝Ｌ……（３）式
Ｂ２＝Ｂ−Ｂ１、かつ、Ｌ２＜Ｌ／２……（４）式
【請求項３】
長手方向に、余白部ＷＡ、手旗図柄表示部ＴＡ、手旗図柄表示部ＴＢ、余白部ＷＢと配置することを特徴とする請求項１〜２に記載された応援用具。
【請求項４】
手旗図柄表示部ＴＢと手旗図柄表示部ＴＡと手旗図柄表示部ＴＢ、余白部ＷＡと余白部ＷＢの境界線が折り線であることを特徴とする請求項１〜３の何れかに記載された応援用具。
【考案の詳細な説明】
【技術分野】
【０００１】
本考案は、応援用具に関する。
【背景技術】
【０００２】
従来、ライブやプロチームの応援に用いられるグッズとして代表的なものとしては、手旗、横断幕、鉢巻の３種類があったが、それぞれが単独なものとして製作されていたという状況があった。
【考案の開示】
【０００３】
しかしながら、従来技術には、主催者は、予算等の都合により、それぞれの種類を単独で製作するため、応援者のニーズに合致しないという欠点が有った。
すなわち、手旗、横断幕、鉢巻の３種類を、それぞれ別個に製作すると、製作用の版も別々に必要となり、費用も時間も掛るという欠点が有った。
さらに、従来技術には、手旗を製作する場合、表と裏の柄を替えたものを製作することができないという欠点が有った。
考案者は、かかる従来技術の欠点に鑑み、鋭意研究した結果、本考案を想到するに至った。
【先行技術文献】
【特許文献】
【０００４】
本願考案に係る応援用具について、ＦＩ、キーワード検索を行ったところ、本件考案（請求項１〜３の何れかに記載された応援用具）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、応援用具には、手旗、横断幕、鉢巻の３種類があったが、本考案課題は、手旗としても使え、横断幕としても使え、鉢巻としても使える３種類兼用の応援用具を提供することである。
○本考案が解決しようとする第２課題
本考案が解決しようとする第２課題は、応援用具である手旗の場合、現場で他の種類の図柄に代えることはできなかったが、手旗の図柄を他の種類の図柄に代えることができる手旗としても使え、横断幕としても使え、鉢巻としても使える３種類兼用の応援用具を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○応援用具とは、応援をするために用いられる用具であり、鉢巻図柄表示部ＨＡと鉢巻図柄表示部ＨＢ、手旗図柄表示部ＴＡと手旗図柄表示部ＴＢ、余白部ＷＡと余白部ＷＢから構成される（第１の考案）。
○応援用具とは、応援をするために用いられる用具であり、鉢巻図柄表示部ＨＡＢ、手旗図柄表示部ＴＡと手旗図柄表示部ＴＢ、余白部ＷＡと余白部ＷＢから構成される（第２の考案）。
○鉢巻図柄表示部ＨＡとは、鉢巻のＡ面の図柄を表示する部分をいう（第１の考案）。
○鉢巻図柄表示部ＨＢとは、鉢巻のＢ面の図柄を表示する部分をいう（第１の考案）。
○鉢巻図柄表示部ＨＡＢとは、鉢巻のＡ面の図柄と鉢巻のＢ面の図柄を合わせて一体にした鉢巻のＡＢ面の図柄を表示する部分をいう（第２の考案）。
○手旗図柄表示部ＴＡとは、手旗のＡ面の図柄を表示する部分をいう。
○手旗図柄表示部ＴＢとは、手旗のＢ面の図柄を表示する部分をいう。
○余白部ＷＡ、余白部ＷＢとは、応援用具１００において、鉢巻図柄表示部ＨＡ、ＨＢ、手旗図柄表示部ＴＡ、ＴＢを除いた残りの左右の残りの余白部をいう。
○巾Ｂとは、応援用具の巾（ｃｍ）を表す。
○長さＬとは、応援用具の長さ（ｃｍ）を表す。
○巾Ｂ１とは、鉢巻図柄表示部ＨＡ、ＨＢの巾（ｃｍ）を表す（第１の考案）。○巾Ｂ１とは、鉢巻図柄表示部ＨＡＢの巾（ｃｍ）を表す（第２の考案）。
○長さＬ１とは、鉢巻図柄表示部ＨＡ、ＨＢのはば長さ（ｃｍ）を表す（第１の考案、第２の考案）。
○巾Ｂ２とは、手旗図柄表示部ＴＡ、ＴＢの巾（ｃｍ）を表す。
○長さＬ２とは、手旗図柄表示部ＴＡ、ＴＢの長さ（ｃｍ）を表す。
○長さＷとは、白部ＷＡ、余白部ＷＢの長さ（ｃｍ）を表す。
○合同とは、二つの図形が重ね合わせることのできる関係にあることをいう。
○留め具ｔとは、手旗のポールＰに、本発明に係る、応援用具を巻きつけて軽視するための治具をいう。留め具ｔは、スリット状の切欠きを有する円筒形状であり、弾性材料により構成されている（図５を参照）。。
＊＊＊＊＊＊＊＊＊＊＊＊＊＊＊＊＊＊＊＊＊＊＊＊＊＊＊＊＊＊＊＊＊＊＊
＜本願発明に係る、応援用具の使用態様のステップについて＞
図３は、本願発明に係る、応援用具の使用態様のステップを表した図面である。図３の（Ａ）図、図３の（Ｂ）図、図３の（Ｃ）図、図３の（Ｄ）図は、ステップ１、ステップ２、ステップ３、ステップ４を表した図面である。
上記応援用具をステップ１〜ステップ４までを経て、手旗として使用することができる。ここに、Ｂ＝３５ｃｍ、Ｌ＝９０ｃｍ、Ｂ２＝２０ｃｍ、Ｌ２＝３０ｃｍ、Ｗ＝１５ｃｍである。
１．ステップ１
上部１５ｃｍを上から畳む。
第１の考案の場合、２Ｂ１＝１５ｃｍ、第２の考案の場合、Ｂ１＝１５ｃｍであるが、第１の考案、第２の考案共に、ステップ１の作業は同じである。
２．ステップ２
左右から各５ｃｍ（Ｗ−１５ｃｍ）、中側に折る。
３．ステップ３
右側から左側に半分折り返す。
４．ステップ４
手旗のポールＰを生地のしたに置き、上から２つ（３つ以上でもよい。）の留め具ｔを付けて完了する。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡと巾Ｂ×長さＬ１の図柄表示部ＨＢが合同であって、下式（１）を満足し、かつ、巾Ｂ２×長さＬ２の図柄表示部ＴＡと巾Ｂ２×長さＬ２の手旗図柄表示部ＴＢが合同であり、下式（２）を満足することを特徴とする巾Ｂ×長さＬの応援用具である。
Ｂ１＜Ｂ／４、かつ、Ｌ１＝Ｌ……（１）式
Ｂ２＝Ｂ−２Ｂ１、かつ、Ｌ２＜Ｌ／２……（２）式
○第２の考案（請求項２に記載の考案）
上記の課題を解決するための第２の考案（請求項２に記載の考案）は、
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡＢ、下式（３）を満足し、かつ、巾Ｂ２×長さＬ２の図柄表示部ＴＡと巾Ｂ２×長さＬ２の手旗図柄表示部ＴＢが合同であり、下式（４）を満足することを特徴とする巾Ｂ×長さＬの応援用具である。
Ｂ１＜Ｂ／２、かつ、Ｌ１＝Ｌ……（３）式
Ｂ２＝Ｂ−Ｂ１、かつ、Ｌ２＜Ｌ／２……（４）式
○第３の考案（請求項３に記載の考案）
上記の課題を解決するための第３の考案（請求項３に記載の考案）は、
長手方向に、余白部ＷＡ、手旗図柄表示部ＴＡ、手旗図柄表示部ＴＢ、余白部ＷＢと配置することを特徴とする請求項１〜２の何れかに記載された応援用具である。
○第４の考案（請求項４に記載の考案）
上記の課題を解決するための第４の考案（請求項４に記載の考案）は、手旗図柄表示部ＴＢと手旗図柄表示部ＴＡと手旗図柄表示部ＴＢ、余白部ＷＡと余白部ＷＢの境界線が折り線であることを特徴とする請求項１〜３の何れかに記載された応援用具である。
【考案の効果】
【０００７】
本考案に係る、応援用具は、上記のような特徴的構成要件から構成され、特徴的構成要件に応じた、以下のような本願考案特有の効果を奏する。
また、上記の各考案に応じた、上記のような特徴的構成要件から構成された応援用具によれば、本願考案の課題を十分解消することができた。
○第１の考案の効果
第１の考案によれば、
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡと巾Ｂ×長さＬ１の図柄表示部ＨＢが合同であって、下式（１）を満足し、かつ、巾Ｂ２×長さＬ２の図柄表示部ＴＡと巾Ｂ２×長さＬ２の手旗図柄表示部ＴＢが合同であり、下式（２）を満足することを特徴とする巾Ｂ×長さＬの応援用具。
Ｂ１＜Ｂ／４、かつ、Ｌ１＝Ｌ……（１）式
Ｂ２＝Ｂ−２Ｂ１、かつ、Ｌ２＜Ｌ／２……（２）式
という特徴的な構成要件により、本考案が解決しようとする第１課題〜第２課題を達成することができ、当業者予測不可能な顕著な効果を奏することができた。
○第２の考案の効果
第２の考案によれば、
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡＢ、下式（３）を満足し、かつ、巾Ｂ２×長さＬ２の図柄表示部ＴＡと巾Ｂ２×長さＬ２の手旗図柄表示部ＴＢが合同であり、下式（４）を満足することを特徴とする巾Ｂ×長さＬの応援用具。
Ｂ１＜Ｂ／２、かつ、Ｌ１＝Ｌ……（３）式
Ｂ２＝Ｂ−Ｂ１、かつ、Ｌ２＜Ｌ／２……（４）式
という特徴的な構成要件により、本考案が解決しようとする第１課題〜第２課題を達成することができ、当業者予測不可能な顕著な効果を奏することができた。
○第３の考案の効果
第３の考案によれば、長手方向に、余白部ＷＡ、手旗図柄表示部ＴＡ、手旗図柄表示部ＴＢ、余白部ＷＢと配置すること
という特徴的な構成要件により、本考案が解決しようとする第１課題〜第２課題を達成することができ、当業者予測不可能な顕著な効果を奏することができた。
○第４の考案の効果
第４の考案によれば、
手旗図柄表示部ＴＢと手旗図柄表示部ＴＡと手旗図柄表示部ＴＢ、余白部ＷＡと余白部ＷＢの境界線が折り線であること
という特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、応援用具に関する最良の実施形態について、図面を参照しながら説明する。
【０００９】
図１は、本願発明（第１の考案）に係る、応援用具を表した図面である。
図２は、本願発明（第２の考案）に係る、応援用具を表した図面である。
図３は、本願発明に係る、応援用具の使用態様のステップを表した図面である。図３の（Ａ）図、図３の（Ｂ）図、図３の（Ｃ）図、図３の（Ｄ）図は、ステップ１、ステップ２、ステップ３、ステップ４を表した図面である。
図４は、従来技術の応援用具を表した図面である。図４の（Ａ）図、図４の（Ｂ）図、図４の（Ｃ）図は、手旗、鉢巻、横断幕を表した図面である。
図５は、留め具ｔの写真を表す図である。
以下、本考案に係る、応援用具について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の応援用具において、
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡと巾Ｂ×長さＬ１の図柄表示部ＨＢが合同であって、下式（１）を満足し、かつ、巾Ｂ２×長さＬ２の図柄表示部ＴＡと巾Ｂ２×長さＬ２の手旗図柄表示部ＴＢが合同であり、下式（２）を満足することを特徴とする巾Ｂ×長さＬの応援用具が開示されている。
Ｂ１＜Ｂ／４、かつ、Ｌ１＝Ｌ……（１）式
Ｂ２＝Ｂ−２Ｂ１、かつ、Ｌ２＜Ｌ／２……（２）式
○第１の考案の効果
第１の考案によれば、
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡと巾Ｂ×長さＬ１の図柄表示部ＨＢが合同であって、下式（１）を満足し、かつ、巾Ｂ２×長さＬ２の図柄表示部ＴＡと巾Ｂ２×長さＬ２の手旗図柄表示部ＴＢが合同であり、下式（２）を満足することを特徴とする巾Ｂ×長さＬの応援用具。
Ｂ１＜Ｂ／４、かつ、Ｌ１＝Ｌ……（１）式
Ｂ２＝Ｂ−２Ｂ１、かつ、Ｌ２＜Ｌ／２……（２）式
という特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の応援用具において、
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡＢ、下式（３）を満足し、かつ、巾Ｂ２×長さＬ２の図柄表示部ＴＡと巾Ｂ２×長さＬ２の手旗図柄表示部ＴＢが合同であり、下式（４）を満足することを特徴とする巾Ｂ×長さＬの応援用具が開示されている。
Ｂ１＜Ｂ／２、かつ、Ｌ１＝Ｌ……（３）式
Ｂ２＝Ｂ−Ｂ１、かつ、Ｌ２＜Ｌ／２……（４）式
○第２の考案の効果
第２の考案によれば、
鉢巻図柄表示部ＨＡと鉢巻図柄表示部ＨＢ、手旗図柄表示部ＴＡと手旗図柄表示部ＴＢ、余白部ＷＡと余白部ＷＢからなる巾Ｂ×長さＬの応援用具において、巾Ｂ１×長さＬ１の図柄表示部ＨＡＢ、下式（３）を満足し、かつ、巾Ｂ２×長さＬ２の図柄表示部ＴＡと巾Ｂ２×長さＬ２の手旗図柄表示部ＴＢが合同であり、下式（４）を満足することを特徴とする巾Ｂ×長さＬの応援用具。
Ｂ１＜Ｂ／２、かつ、Ｌ１＝Ｌ……（３）式
Ｂ２＝Ｂ−Ｂ１、かつ、Ｌ２＜Ｌ／２……（４）式
という特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の応援用具において、長手方向に、余白部ＷＡ、手旗図柄表示部ＴＡ、手旗図柄表示部ＴＢ、余白部ＷＢと配置することを特徴とする請求項１〜２に記載された応援用具。
○第３の考案の効果
第３の考案によれば、長手方向に、余白部ＷＡ、手旗図柄表示部ＴＡ、手旗図柄表示部ＴＢ、余白部ＷＢと配置すること
という特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の応援用具において、手旗図柄表示部ＴＢと手旗図柄表示部ＴＡと手旗図柄表示部ＴＢ、余白部ＷＡと余白部ＷＢの境界線が折り線であることを特徴とする請求項１〜３の何れかに記載された応援用具。
○第４の考案の効果
第４の考案によれば、手旗図柄表示部ＴＢと手旗図柄表示部ＴＡと手旗図柄表示部ＴＢ、余白部ＷＡと余白部ＷＢの境界線が折り線であること
という特徴的な構成要件により、本考案が解決しようとする第１課題〜第２課題を達成することができ、当業者予測不可能な顕著な効果を奏することができた。
【図面の簡単な説明】
【００１０】
【図１】図１は、本願発明（第１の考案）に係る、応援用具を表した図面である。
【図２】図２は、本願発明（第２の考案）に係る、応援用具を表した図面である。
【図３】図３は、本願発明に係る、応援用具の使用態様のステップを表した図面である。図３の（Ａ）図、図３の（Ｂ）図、図３の（Ｃ）図、図３の（Ｄ）図は、ステップ１、ステップ２、ステップ３、ステップ４を表した図面である。
【図４】図４は、従来技術の応援用具を表した図面である。図４の（Ａ）図、図４の（Ｂ）図、図４の（Ｃ）図は、手旗、鉢巻、横断幕を表した図面である。
【図５】図５は、留め具ｔの写真を表す図である。
【符号の説明】
【００１１】
１００……応援用具
ＨＡ、ＨＢ、ＨＡＢ……鉢巻図柄表示部
ＴＡ、ＴＢ……手旗図柄表示部
ＷＡ、ＷＢ……余白部
ｔ……留め具
Ｐ……手旗のポール
【図１】
0003199245.tif 000003
【図２】
0003199245.tif 000004
【図３】
0003199245.tif 000005
【図４】
0003199245.tif 000006
【図５】
0003199245.tif 000007